(57)【要約】【課題】ユーザーの手間を増やすことなく、画像中の文字の見難さ感をユーザーに与えてしまうことを低減し、且つ、画像中の被写体の歪みによる低画質感をユーザーに与えてしまうことを低減することができるプロジェクターシステムを提供する。【解決手段】外部から送られてくる画像データが入力される入力部４と、入力部４に入力された画像データを台形歪み補正のために補正する歪み補正部１１と、前記画像データに基づいてスクリーンに画像を投写する投写部とを備えるプロジェクターシステムにおいて、前記画像データの全画素における輝度分布の連続性の度合いに基づいて歪み補正部１１による台形歪み補正を実施するか否かを決定し、その結果に基づいて必要に応じて歪み補正部１１に対して台形歪み補正を実施させる制御部８を設けた。【選択図】図７
2017227718.tif 000002
【特許請求の範囲】
【請求項１】
外部から送られてくる画像データが入力される入力手段と、前記入力手段に入力された画像データを台形歪み補正のために補正する歪み補正手段と、前記画像データに基づいて投写対象面に画像を投写する投写手段とを備える画像投写装置において、
前記画像データにおける所定の特性に基づいて前記歪み補正手段による台形歪み補正を実施するか否かを決定し、その結果に基づいて必要に応じて前記歪み補正手段に対して台形歪み補正を実施させる制御手段を設けたことを特徴とする画像投写装置。
【請求項２】
請求項１の画像投写装置において、
前記所定の特性として、画像の各画素における輝度の分布の連続性、に基づいて、前記台形歪み補正を実施するか否かを決定するように、前記制御手段を構成したことを特徴とする画像投写装置。
【請求項３】
請求項１の画像投写装置において、
前記所定の特性として、複数の入力部を具備する前記入力手段におけるどの入力部に入力されたか、に基づいて、前記台形歪み補正を実施するか否かを決定するように、前記制御手段を構成したことを特徴とする画像投写装置。
【請求項４】
請求項１乃至３の何れかの画像投写装置において、
前記所定の特性に基づいて台形歪み補正を必要に応じて自動で行う動作モードである自動選択モードと、前記台形歪み補正を強制的に不実施にする動作モードである補正なしモードと、前記台形歪み補正を強制的に行う動作モードである補正ありモードとをユーザーの命令に基づいて切り替える切替手段を設けたことを特徴とする画像投写装置。
【発明の詳細な説明】
【技術分野】
【０００１】
本発明は、投写対象面に画像を投写する画像投写装置に関するものである。
【背景技術】
【０００２】
従来、外部から送られてくる画像データが入力される入力手段と、これ入力された画像データを台形歪み補正のために補正する歪み補正手段と、その画像データに基づいて投写対象面に画像を投写する投写手段とを備える画像投写装置が知られている。
【０００３】
例えば、特許文献１に記載の画像投写装置としてのプロジェクターは、入力手段たる画像入力部と、歪み補正手段たる自動台形歪み補正部と、投写手段たる投射部とを備えている。また、プロジェクターの傾き角度を検出する角度検出部も備えている。比較的大きな角度で傾いている状態のプロジェクターにより、鉛直方向に延在するスクリーンに投写された画像は、その輪郭が矩形であるべきところ、台形になってしまう。そこで、このプロジェクターの自動台形歪み補正部は、角度検出部によって検出される角度に基づいて、画像入力部に入力された画像データに対し、投写される画像の輪郭を矩形に近づけるための台形歪み補正を施す。これにより、光源や液晶ライトバルブ等からなる投写部によってスクリーンに投写される画像の輪郭を矩形に近づけることができるとされている。
【発明の概要】
【発明が解決しようとする課題】
【０００４】
しかしながら、プレゼンテーション用の画像など、文字を多く含む画像では、台形歪み補正を行うと、個々の文字が却って読みに難くなってしまう。この一方で、写真、動画、アニメーション画像などでは、台形歪み補正を実施しないと、画像中における人物や物体などの被写体の歪みが目立ってしまい、全体として低画質感をユーザーに与えてしまう。このため、文字を多く含むか否かに応じて、台形歪み補正のオンオフを手動で設定することが望ましいが、その設定作業によってユーザーの手間を増やしてしまうことになる。
【課題を解決するための手段】
【０００５】
上述した課題を解決するために、本発明は、外部から送られてくる画像データが入力される入力手段と、前記入力手段に入力された画像データを台形歪み補正のために補正する歪み補正手段と、前記画像データに基づいて投写対象面に画像を投写する投写手段とを備える画像投写装置において、前記画像データにおける所定の特性に基づいて前記歪み補正手段による台形歪み補正を実施するか否かを決定し、その結果に基づいて必要に応じて前記歪み補正手段に対して台形歪み補正を実施させる制御手段を設けたことを特徴とするものである。
【発明の効果】
【０００６】
本発明によれば、ユーザーの手間を増やすことなく、画像中の文字の見難さ感をユーザーに与えてしまうことを低減し、且つ、画像中の被写体の歪みによる低画質感をユーザー与えてしまうことを低減することができるという優れた効果がある。
【図面の簡単な説明】
【０００７】
【図１】実施形態に係る画像投写システムの要部構成を示す斜視図。
【図２】スクリーンと、水平に近い姿勢で設置されたプロジェクターとを示す側面図。
【図３】図２に示されるプロジェクターによってスクリーンに投写される画像を示す模式図。
【図４】スクリーンと、斜め上方を向いた姿勢で設置されたプロジェクターとを示す側面図。
【図５】図４に示されるプロジェクターによってスクリーンに投写される画像を示す模式図。
【図６】変形例に係る画像投写システムの要部構成を示す斜視図。
【図７】実施形態に係る画像投写システムにおけるプロジェクターの電気回路の要部を示すブロック図。
【図８】同画像投写システムにおける制御装置の電気回路の要部を示すブロック図。
【図９】同画像投写システムにおいて歪み補正情報構築処理を実施中のプロジェクターにおける処理フローを示すフローチャート。
【図１０】同制御装置の格子データ記憶部に記憶されている格子画像データによって表現される格子基準画像を示す模式図。
【図１１】同画像投写システムにおいて歪み補正情報構築処理を実施中の制御装置における処理フローを示すフローチャート。
【図１２】スクリーンに投写された台形歪みのない画像の第一例を示す模式図。
【図１３】スクリーンに投写された台形歪みのある画像の第一例を示す模式図。
【図１４】図１３に示される状態から、台形歪み補正が施された状態に変化した後の画像の第一例を示す模式図。
【図１５】スクリーンに投写された台形歪みのない画像の第二例を示す模式図。
【図１６】スクリーンに投写された台形歪みのある画像の第二例を示す模式図。
【図１７】図１６に示される状態から、台形歪み補正が施された状態に変化した後の画像の第二例を示す模式図。
【図１８】台形歪みのある画像のスクリーン右端領域の部分を拡大して示すフォト画像。
【図１９】図１８の画像に対して台形歪み補正を施した状態を拡大して示すフォト画像。
【図２０】文字の多いプレゼンテーション用の画像における画素の輝度と画素数との関係を示すグラフ。
【図２１】動画や写真画像における画素の輝度と画素数との関係を示すグラフ。
【図２２】自動選択モードにおいて制御部によって実施される補正態様決定処理の処理フローを示すフローチャート。
【発明を実施するための形態】
【０００８】
以下、本発明を適用した画像投写装置たる画像投写システムの一実施形態について説明する。なお、投写画像の台形歪みの度合いを把握する技術として、台形歪み確認用の格子基準画像を投写・撮像した結果に基づいて台形歪みの度合いを把握する技術を適用した例について説明するが、かかる技術とは異なるものを採用してもよい。例えば、特許文献１に記載のプロジェクターのように、角度検出部による角度の検出結果に基づいて台形歪みの度合いを把握する技術を採用してもよい。
【０００９】
まず、実施形態に係る画像投写システムの基本的な構成について説明する。図１は、実施形態に係る画像投写システムの要部構成を示す斜視図である。この画像投写システムは、プロジェクター１、パーソナルコンピュータ等からなる制御装置２０、ＬＡＮ等の通信ネットワーク４０などを備えている。プロジェクター１は、ネットワーク４０を介して制御装置２０と繋がっている。
【００１０】
図２は、スクリーン３０と、水平に近い姿勢で設置されたプロジェクター１とを示す側面図である。画像の投写対象面を有するスクリーン３０は、図示のように、その投写対象面を鉛直方向に延在させる姿勢で設置されるのが一般的である。このようなスクリーン３０に対し、図示のようにほぼ水平に近い姿勢でセットされたプロジェクター１から画像が投写されると、図３に示されるように、画像６０の輪郭形状が正常な矩形になる。
【００１１】
図４は、スクリーン３０と、斜め上方を向いた姿勢で設置されたプロジェクター１とを示す側面図である。プロジェクター１の設置場所がスクリーン３０の比較的近くに限られるなどといった現場の状況によっては、図示のように、プロジェクター１を斜め上方に向けた姿勢で設置せざるを得ないことがある。このような姿勢でセットされたプロジェクター１によってスクリーン３０に画像６０が投写されると、図５の符号６０ａで示されるように、画像の輪郭形状が台形になってしまう。プロジェクター１は、このように台形になってしまう画像を矩形に近づけるように画像データを補正する台形歪み補正を実行することが可能である。台形歪み補正を実行すると、同図の符号６０ｂで示されるように、画像の形状が矩形に近づけられる。このような補正は、画素を間引くなどの処理によって行われる。
【００１２】
図１において、画像を投写するプロジェクター１は、撮像手段としてのカメラ６によって投写中の画像を撮像し、その結果を通信ネットワーク４０経由で制御装置２０に送信する。また、制御装置２０は、動画データなどの画像データを通信ネットワーク４０経由でプロジェクター１に送信する。プロジェクター１は、制御装置２０から送られてくる画像データに基づく画像をスクリーンに投写する。
【００１３】
なお、実施形態においては、プロジェクター１として、カメラ６を具備しているものを用いているが、カメラ６を具備しないものを用いてもよい。この場合、図６に示されるように、プロジェクター１とは別体のカメラ５０を通信ネットワーク４０に接続し、カメラ５０による投写画像の撮像結果を通信ネットワーク４０経由で制御装置２０に送信すればよい。
【００１４】
図７は、プロジェクター１の電気回路の要部を示すブロック図である。プロジェクター１は、制御装置（２０）などの外部装置と通信を行う通信部２、画像を投写する投写部３、制御装置（２０）とは別の画像出力手段から出力される画像データを入力するための入力部４、スピーカー５、投写画像を撮像するカメラ６などを有している。また、各種の制御や演算処理を行う制御部８、記憶手段たるＲＯＭ９、各種のデータを一時的に記憶するＲＡＭ１０、ＲＡＭに記憶された補正データに基づいて投写に用いる前の画像情報に対して歪み補正（幾何補正）を施す歪み補正部１１なども有している。制御部８は、歪み補正部１１によって補正された画像データに基づく画像を投写部３に投写させる。なお、プロジェクター１として、カメラ６を具備しないものを用いる場合には、図６に示されるように、カメラ５０を通信ネットワーク４０に繋ぐ必要がある。
【００１５】
図８は、制御装置２０の電気回路の要部を示すブロック図である。制御装置２０は、プロジェクター（１）などの外部装置と通信を行う通信部２１、撮像された格子基準画像のデータを記憶する格子データ記憶部２２、その格子基準画像の解析を行う画像解析部２３などを有している。また、各種の制御や演算処理を行う制御部２５、各種のデータを記憶している記憶部２６、格子基準画像の解析結果に基づいて歪み補正データを構築する補正データ構築部２７なども有している。
【００１６】
プロジェクター１及び制御装置２０は、次のような歪み補正情報構築処理を実施する構築手段として機能する。即ち、格子基準画像をプロジェクター１に投写させる投写工程、投写された格子基準画像をカメラ６に撮像させる撮像工程、及び撮像工程で得られた格子基準画像の撮像結果に基づいて、補正データを構築する構築工程とを具備する歪み補正情報構築処理である。
【００１７】
図９は、歪み補正情報構築処理を実施中のプロジェクター１における処理フローを示すフローチャートである。プロジェクター１は、電源がＯＮされた後、静止した状態が所定時間以上続くなどしたことに基づいて、この処理フローを開始する。そして、まず、格子基準画像を投写するための格子画像データを得るために制御装置２０に向けて格子要求信号を送信する（ステップ１：以下、ステップをＳと記す）。その後、制御装置２０から送られてくる格子画像データを受信すると（Ｓ２でＹ）、その格子画像データに基づいて、図１０に示されるような格子基準画像をスクリーン３０に投写した後（Ｓ３）、格子基準画像をカメラ６で撮像する（Ｓ４）。そして、撮像データを制御装置２０に送信した後（Ｓ５）、制御装置２０から送られてくるはずの補正データについて、受信したか否かを判定し（Ｓ６）、受信した場合には（Ｓ６でＹ）、その補正データをＲＡＭ１０に記憶して（Ｓ７）、一連の処理フローを終える。記憶した補正データについては、入力部４に入力される画像データに基づく画像を投写する際に、その画像データを幾何補正するために用いる。
【００１８】
図１１は、歪み補正情報構築処理を実施中の制御装置２０における処理フローを示すフローチャートである。この処理フローを開始した制御装置２０は、まず、プロジェクター１から送られてくる格子要求信号の受信を待機する（Ｓ１）。そして、格子要求信号を受信すると（Ｓ１でＹ）、格子データ記憶部２２から格子画像データを読み込んでプロジェクター１に送信した後（Ｓ２）、プロジェクター１から送られてくる撮像データの受信を待機する（Ｓ３）。その後、撮像データを受信すると（Ｓ３でＹ）、その撮像データを画像解析部２３によって解析し、複数の格子交点の座標に基づいて補正データを構築する（Ｓ４）。そして、補正データをプロジェクター１に送信してから（Ｓ５）、一連の処理フローを終了する。
【００１９】
図１２は、スクリーンに投写された台形歪みのない画像６０の第一例を示す模式図である。この画像６０は、中央領域に真円状の画像部を具備している。図示のような台形歪みのない画像６０では、その輪郭が綺麗な矩形状になり、且つ中央領域に存在する画像部が適切な真円状の形状になる。
【００２０】
図１３は、スクリーンに投写された台形歪みのある画像６０の第一例を示す模式図である。この画像６０を投写するための画像データは、図１２の画像６０を投写するための画像データと同じである。にもかかわらず、図１３に示される画像６０の輪郭は、逆台形状の歪みのある形状になっている。これは、プロジェクター１が水平方向よりも上方を向いた姿勢でセットされているからである。図示のような台形歪みがあると、中央領域の画像部が横方向に延びる楕円状の形状になってしまう。
【００２１】
図１４は、図１３に示される状態から、台形歪み補正が施された状態に変化した後の画像６０の第一例を示す模式図である。図示のように、台形歪み補正により、画像６０の輪郭は矩形状に補正され、且つ中央領域の画像部も真円状の形状に補正されている。但し、表示画素が間引かれているので、図示のように、本来よりも小さなサイズになっている。
【００２２】
図１５はスクリーンに投写された台形歪みのない画像６０の第二例を示す模式図である。この画像６０は、図中左端領域に上下方向に延在する短冊状の画像部を具備している。図示のような台形歪みのない画像６０では、その輪郭が綺麗な矩形状になり、且つ図中左端領域に存在する画像部が適切な短冊状の形状になる。
【００２３】
図１６は、スクリーンに投写された台形歪みのある画像６０の第二例を示す模式図である。この画像６０を投写するための画像データは、図１５の画像６０を投写するための画像データと同じである。にもかかわらず、図１６に示される画像６０の輪郭は、逆台形状の歪みのある形状になっている。図示のような台形歪みがあると、図中左端領域の画像部が斜めに傾いた姿勢になってしまう。
【００２４】
図１７は、図１６に示される状態から、台形歪み補正が施された状態に変化した後の画像６０の第二例を示す模式図である。図示のように、台形歪み補正により、画像６０の輪郭は矩形状に補正され、且つ図中左端領域の画像部の姿勢も補正されている。但し、表示画素が間引かれているので、図示のように、本来よりも小さなサイズになっている。また、図中左端領域の画像部が綺麗な短冊状の形状にはならず、図示のようにジャギーの目立つ形状になってしまう。このように、スクリーンの左端領域に形成される画像部は、台形補正が施されると、姿勢が本来のものに補正される代わりに、形状が乱れてしまう。スクリーンの右端領域に形成される画像部も同様である。
【００２５】
スクリーンに投写される画像が写真、動画、アニメーション画像などでは、台形歪みがあると、画像中における人物や物体などの被写体の歪みが目立ってしまい、画像全体として低画質感をユーザーに与えてしまう。よって、台形歪み補正を施すことが望ましい。
【００２６】
この一方で、文字を多く含む画像では、台形歪みがあると、文字の姿勢が斜めになるが、文字の形状の乱れはそれほどないので、はっきりと読み取ることができる。そして、文字の姿勢を真っ直ぐにするために台形歪み補正を施すと、文字の姿勢を真っ直ぐにする代わりに、文字の形状を大きく見だしてしまうことから、文字を読み取ることが困難になってしまう。
【００２７】
図１８は、台形歪みのある画像のスクリーン右端領域の部分を拡大して示すフォト画像である。図示のように、この画像には「薔薇」という文字の繰り返しからなる文字群が含まれている。画像全体に台形歪みがあることにより、スクリーン右端領域に表示される文字が図示のように傾いているものの、個々の文字は何れも綺麗な形状であることから、はっきりと読み取ることができる。
【００２８】
図１９は、図１８の画像に対して台形歪み補正を施した状態を拡大して示すフォト画像である。図示のように、個々の文字は、傾きが補正されているものの、形状が大きく乱れていることから、図１８の画像の文字に比べて読み取り難くなっている。
【００２９】
よって、文字を多く含むか否かに応じて、台形歪み補正のオンオフを手動で設定することが望ましいが、その設定作業によってユーザーの手間を増やしてしまう。
【００３０】
次に、実施形態に係る画像投写システムの特徴的な構成について説明する。
プロジェクター１の制御部８は、入力部４のメニューボタンが押されると、スクリーンにメインメニュー画面を表示する処理を実施する。このメインメニュー画面におけるカーソルについては、入力部４に設けられた方向ボタンの操作によってユーザーが任意に移動させることができる。
【００３１】
ユーザーが方向ボタンの操作によってメインメニュー画面における「台形補正歪み設定」の項目にカーソルを合わせた後、入力部４の決定ボタンを押すと、制御部８は、スクリーンに歪み補正用メニュー画面を表示する処理を実施する。この歪み補正用メニュー画面には、「補正なし」、「補正あり」、「自動選択」という三つの項目が表示される。ユーザーの方向ボタン操作や決定ボタン操作によって「補正なし」が選択されると、制御部８は歪み補正部１１による台形歪み補正を強制的に不実施にする動作モードである補正なしモードを実施する。また、ユーザーによって「補正あり」が選択されると、歪み補正部１１による台形歪み補正を強制的に行わせる動作モードである補正ありモードを実施する。また、ユーザーによって「自動選択」が選択されると、画像データの所定の特性に基づいて台形歪み補正の要否を判定し、必要に応じて歪み補正部１１による台形歪み補正を自動で行わせる動作モードである自動選択モードを実施する。なお、実施形態に係る画像投写システムでは、画像データの所定の特性として、全画素における輝度の分布の連続性に着目するようになっている。
【００３２】
図２０は、文字の多いプレゼンテーション用の画像における画素の輝度と画素数との関係を示すグラフである。この例では、各画素がとり得る０、１、２、・・・２５５という２５６通りの輝度値を、０、５、１０・・・１００という２１通りの輝度値に変換した例を示している。文字の多い画像では、図示のように、各画素の輝度値が、２１通りのうちの一部に集中することから、全画素における輝度の分布の連続性が低くなって、画素数＝ゼロとなる輝度値（以下、「分布なし輝度値」という）の数が多くなる。
【００３３】
図２１は、動画や写真画像における画素の輝度と画素数との関係を示すグラフである。動画の場合には、輝度の分布が刻々と変化するが、ある特定の時間における分布をとらえたものである。図示のように、動画や写真画像では、各画素の輝度値が２１通りのうちの大半に散らばることから、輝度の分布の連続性が高くなって、「分布なし輝度値」の数が少なくなる。
【００３４】
これらのことから、「分布なし輝度値」に基づいて、文字の多い画像であるのか否かを予測することが可能である。そこで、プロジェクター１の制御部８は、自動選択モードにおいて、外部機器から画像データが送られてくると、特定の瞬間の全画素における輝度の分布の連続性に基づいて、台形歪み補正を実施するか否かを決定する。具体的には、「分布なし輝度値」の数が所定の閾値を下回る場合（又は以下である場合）には、輝度の分布の連続性が比較的低いことから、文字の多い画像である可能性が高い。これに対し、「分布なし輝度値」の数が所定の閾値以上である場合（又は下回る場合）には、輝度の分布の連続性が比較的高いことから、動画や写真画像である可能性が高い。そこで、制御部８は、「分布なし輝度値」の数が所定の閾値を下回る場合に歪み補正部１１による台形歪み補正の不実施を決定するのに対し、閾値を下回らない場合には歪み補正部１１による台形歪み補正の実施を決定する。
【００３５】
図２２は、自動選択モードにおいて制御部８によって実施される補正態様決定処理の処理フローを示すフローチャートである。この補正態様決定処理は、上述した歪み補正情報構築処理の直後に開始される。そして、補正態様決定処理を開始した制御部８は、外部機器から送られてくる画像データを受信するまで待機する（ステップ１でＮ：以下、ステップをＳと記す）。その後、画像データを受信すると（Ｓ１でＹ）、その後に所定時間経過した瞬間の全画素における分布なし輝度値を解析する（Ｓ２）。具体的には、全画素のそれぞれについて、２５６通りの輝度値を２１通りの輝度値に変換した後、それぞれの輝度値について全画素のうちの何画素がその輝度値に該当するのかを集計する。そして、集計結果に基づいて分布なし輝度値の数Ｎを特定した後（Ｓ３）、数Ｎについて閾値を下回っているか否かを判定する（Ｓ４）。次いで、下回っているという判定結果になった場合（Ｓ４でＹ）には、輝度値の分布の連続性が比較的低いことから、文字の形状を乱さないようにするために、歪み補正部１１による台形歪み補正の不実施を決定して（Ｓ５）一連の処理フローを終了する。これに対し、下回っていないという判定結果になった場合（Ｓ４でＮ）には、輝度値の分布の連続性が比較的高いことから、動画や写真画像の質感を損ねないようにするために、歪み補正部１１による台形歪み補正の実施を決定して（Ｓ６）一連の処理フローを終了する。
【００３６】
かかる構成では、文字の多い画像であるか否かに基づいて台形歪み補正のオンオフを手動で設定するというユーザーの手間を増やすことなく、次のことが可能になる。即ち、文字の多い画像を投写する際に文字の見難さ感をユーザーに与えてしまうことを低減しつつ、動画や写真画像を投写する際に被写体の歪みによる低画質感をユーザー与えてしまうことを低減することができる。
【００３７】
なお、補正態様決定処理の実施のタイミングについては、歪み補正情報構築処理の直後の１回だけにしてもよいし、その後も定期的に実施してもよい。定期的に実施する場合には、例えば動画であっても書類をアップで撮影した場面など、文字の多い画像を投写するときに、「台形歪み補正あり」の状態から「台形歪み補正なし」の状態に切り替えることが可能になる。但し、このとき、画像の輪郭を大きく変化させてしまうので、視聴者に違和感を与えてしまう可能性がある。一方、歪み補正情報構築処理の直後の１回だけ補正態様決定処理を実施する場合には、前述のような違和感を与えることはないが、文字の多い場面で文字を読み取り易くすることはできない。定期的に実施するのか、１回だけにするのかを、ユーザーの選択（選択入力操作）に応じて切り替えるようにしてもよい。
【００３８】
また、プロジェクター１と制御装置２０とを別体にした例について説明したが、プロジェクター１に、制御装置２０の機能を搭載してもよい。
【００３９】
次に、実施形態に係る画像投写システムにおける一部の構成を他の構成に置き換えた変形例について説明する。なお、以下に特筆しない限り、変形例に係る画像投写システムの構成は、実施形態と同様である。
【００４０】
実施形態に係る画像投写システムのように全画素における輝度の分布の連続性を解析する構成では、画像を投写するための画像処理と、連続性の解析とを同時に実施する必要があることから、制御部８として、高速演算処理が可能な高価なものを用いる必要がある。このため、コスト高になってしまう。
【００４１】
そこで、変形例に係る画像投写システムでは、補正態様決定処理における台形歪み補正の要否の判定で、「分布なし輝度値」の数Ｎを参照する代わりに、画像データを受信している入力端子の種類を参照するように、制御部８を構成している。具体的には、入力部４に設けられた複数の入力端子のうち、どの入力端子で画像データを受信しているのかに基づいて台形歪み補正の要否を判定するのである。
【００４２】
一般に、プレゼンテーション用に作成された画像は文字を多く含んでおり、その画像データはパソコンからプロジェクター１に送信される。入力部４は、パソコンから送られてくる画像データを受信するための端子として、Ｄ−ｓｕｂ端子を具備している。また、様々な動画プレイヤーから送られてくる画像データを受信するための端子として、ＨＤＭＩ（登録商標）端子を具備している。Ｄ−ｓｕｂ端子で画像データを受信している場合には、文字の多い画像を投写している可能性が高い。これに対し、ＨＤＭＩ（登録商標）端子で画像データを受信している場合には、動画を投写している可能性が高い。
【００４３】
そこで、制御部８は、補正態様決定処理にて、画像データをＤ−ｓｕｂ端子で受信している場合には、歪み補正部１１による台形歪み補正の不実施を決定する一方で、ＨＤＭＩ（登録商標）端子で受信している場合には、歪み補正部１１による台形歪み補正の実施を決定する。かかる構成では、パソコンから動画データが送信されているときでも、文字の多い画像であるとみなされて台形歪み補正が行われない。また、動画プレイヤーから文字の多い静止画が送信されているときでも、動画や写真画像であるとみなされて台形歪み補正が行われる。よって、文字の多い画像を投写する際に文字の見難さ感をユーザーに与えてしまうことを低減したり、動画や写真画像を投写する際に被写体の歪みによる低画質感をユーザー与えてしまうことを低減したりする効果が低下する。その代わりに、輝度の分散の連続性を解析する必要がないことから、一般的な演算処理速度の安価な制御部８を用いることが可能になるため、低コスト化を図ることができる。
【００４４】
以上に説明したものは一例であり、次の態様毎に特有の効果を奏する。
［態様Ａ］
外部から送られてくる画像データが入力される入力手段（例えば入力部４）と、前記入力手段に入力された画像データを台形歪み補正のために補正する歪み補正手段（例えば歪み補正部１１）と、前記画像データに基づいて投写対象面（例えばスクリーン３０の面）に画像を投写する投写手段（例えば投写部３）とを備える画像投写装置（例えばプロジェクター１、カメラ６、及び制御装置２０）において、前記画像データにおける所定の特性に基づいて前記歪み補正手段による台形歪み補正を実施するか否かを決定し、その結果に基づいて必要に応じて前記歪み補正手段に対して台形歪み補正を実施させる制御手段（例えば制御部８）を設けたことを特徴とするものである。
【００４５】
態様Ａにおいて、制御手段は、画像データにおける所定の特性に基づいて、文字の多い画像であるか否かを判定し、文字の多い画像である場合にだけ、歪み補正手段に対して台形歪み補正を行わせる。これにより、文字の多い画像であるか否かに基づいて台形歪み補正のオンオフを手動で設定するというユーザーの手間を増やすことなく、文字の多い画像を投写する際に文字の見難さ感をユーザーに与えてしまうことを低減することができる。更には、動画や写真画像を投写する際に被写体の歪みによる低画質感をユーザー与えてしまうことを低減することもできる。
【００４６】
［態様Ｂ］
態様Ｂは、態様Ａにおいて、前記所定の特性として、画像の各画素における輝度の分布の連続性、に基づいて、前記台形歪み補正を実施するか否かを決定するように、前記制御手段を構成したことを特徴とするものである。かかる構成では、画像の各画素における輝度の分布の連続性に基づいて、文字の多い画像であるか否かを高精度に判別することができる。
【００４７】
［態様Ｃ］
態様Ｃは、態様Ａにおいて、前記所定の特性として、複数の入力部（例えばＤ−ｓｕｂ端子やＨＤＭＩ（登録商標）端子）を具備する前記入力手段におけるどの入力部に入力されたか、に基づいて、前記台形歪み補正を実施するか否かを決定するように、前記制御手段を構成したことを特徴とするものである。かかる構成では、態様Ｂに比べて、低コスト化を図ることができる。
【００４８】
［態様Ｄ］
態様Ｄは、態様Ａ〜Ｃの何れかにおいて、前記所定の特性に基づいて台形歪み補正を必要に応じて自動で行う動作モードである自動選択モードと、前記台形歪み補正を強制的に不実施にする動作モードである補正なしモードと、前記台形歪み補正を強制的に行う動作モードである補正ありモードとをユーザーの命令に基づいて切り替える切替手段（例えば投写部３、入力部４及び制御部８の組み合わせ）を設けたことを特徴とするものである。かかる構成では、ユーザーの希望に応じて動作モードを切り替えることができる。
【符号の説明】
【００４９】
１：プロジェクター
３：投写部（切替手段の一部、投写手段）
４：入力部（切替手段の一部、入力手段）
６：カメラ
８：制御部（切替手段の一部、制御手段）
１１：歪み補正部（歪み補正手段）
２０：制御装置
３０：スクリーン（投写対象面）
【先行技術文献】
【特許文献】
【００５０】
【特許文献１】特開２０１３−９８８３７号公報
【図１】
2017227718.tif 000003
【図２】
2017227718.tif 000004
【図３】
2017227718.tif 000005
【図４】
2017227718.tif 000006
【図５】
2017227718.tif 000007
【図６】
2017227718.tif 000008
【図７】
2017227718.tif 000009
【図８】
2017227718.tif 000010
【図９】
2017227718.tif 000011
【図１０】
2017227718.tif 000012
【図１１】
2017227718.tif 000013
【図１２】
2017227718.tif 000014
【図１３】
2017227718.tif 000015
【図１４】
2017227718.tif 000016
【図１５】
2017227718.tif 000017
【図１６】
2017227718.tif 000018
【図１７】
2017227718.tif 000019
【図１８】
2017227718.tif 000020
【図１９】
2017227718.tif 000021
【図２０】
2017227718.tif 000022
【図２１】
2017227718.tif 000023
【図２２】
2017227718.tif 000024